(57)【特許請求の範囲】
【請求項１】
局部発振信号を出力する局部発振器と、前記局部発振信号および受信希望信号を混合してＩＦ信号を作成するミキサと、を備えるとともに、チャンネル周波数帯域が異なる二種類以上の放送による信号を受信する受信装置において、
前記二種類以上の放送のうち所定の放送以外の放送による信号を受信希望信号とするときは、前記ミキサの出力信号に含まれる所定の隣接信号の周波数が、前記所定の放送による信号を受信希望信号とした場合に前記ミキサの出力信号に含まれる所定の隣接信号の周波数に近づくように、前記ＩＦ信号の中心周波数が可変し、
前記ミキサの出力信号を入力するバンドパスフィルタを備え、前記バンドパスフィルタの特性が固定されており、前記バンドパスフィルタが減衰させる信号の周波数が、前記所定の放送による信号を受信希望信号とした場合に前記ミキサの出力信号に含まれる所定の隣接信号の周波数と同一であり、
受信希望チャンネル情報を入力して該受信希望チャンネル情報に応じた制御信号を作成する制御手段と、前記制御信号に応じた同調電圧を発生させる電圧発生手段と、を備えるとともに、前記局部発振器が前記同調電圧に応じて前記局部発振信号の周波数を可変することを特徴とする受信装置。
【請求項２】
前記二種類以上の放送のうち所定の放送以外の放送による信号を受信希望信号とするときは、前記ミキサの出力信号に含まれる所定の隣接信号の周波数が、前記所定の放送による信号を受信希望信号とした場合に前記ミキサの出力信号に含まれる所定の隣接信号の周波数と一致するように、前記ＩＦ信号の中心周波数が可変する請求項１に記載の受信装置。
【請求項３】
前記二種類以上の放送の中でチャンネル周波数帯域が最も大きい放送を前記所定の放送とする請求項１または請求項２に記載の受信装置。
【請求項４】
ＴＶ放送による信号を受信する受信機であって、前記所定の隣接信号が下側隣接音声信号である請求項１〜３のいずれかに記載の受信装置。
【発明の詳細な説明】
【０００１】
【発明の属する技術分野】
本発明は、ラジオ、ＴＶ、ＶＴＲ、ＳＴＢ（セット・トップ・ボックス）等に使用される受信装置に関するものである。特に、一つのチャンネルに割り当てられる周波数帯域（以下、チャンネル周波数帯域という）が異なる二種類以上の放送信号を受信する受信装置に関するものである。
【０００２】
【従来の技術】
一般に、ＴＶ放送信号を受信する受信装置は図２のような構成になっている。受信装置は、選局部１と復調部２を備えている。はじめに選局部１について説明する。多数の受信信号がＲＦ入力端子３に入力され、まず、同調電圧発生回路９が出力する同調電圧に応じて特性が変化するバンドパスフィルタ４により多数の受信信号の中から受信希望信号のみが選別される。バンドパスフィルタ４によって選別された受信希望信号がアンプ５で増幅される。その後、同調電圧発生回路９が出力する同調電圧に応じて特性が変化するバンドパスフィルタ６によりアンプ５の出力信号の中から受信希望信号のみが更に選別され、ミキサ８に入力される。また、ミキサ８には、局部発振器７が発生する局部発振信号も入力される。なお、局部発振信号の周波数は、同調電圧発生回路９が出力する同調電圧に応じて変化する。
【０００３】
ミキサ８では局部発振信号と受信希望信号とを混合することによりＩＦ信号を作成し復調部２に出力する。ＩＦ信号の周波数は局部発振信号の周波数と受信希望信号の周波数との差により決定される。
【０００４】
制御回路１０は、受信希望チャンネル情報を入力してその情報に応じた制御信号を同調電圧発生回路９に出力している。受信希望チャンネル情報は例えば赤外線リモートコントローラから送信される赤外線信号等から得ることができる。同調電圧発生回路９は制御回路１０からの制御信号に基づき、受信希望チャンネル毎に異なる同調電圧を発生する。
【０００５】
これにより、局部発振信号の周波数は受信希望信号の周波数に比例し変更され、ミキサ８が出力するＩＦ信号は常に一定の周波数となる。例えば、日本のＴＶ放送の場合、どのＴＶ局の信号を受信した場合でも、ＩＦ信号の周波数帯域にある映像搬送波の中間周波数は５８．７５ＭＨｚ、ＩＦ信号の周波数帯域にある音声搬送波の中間周波数は５４．２５ＭＨｚ、ＩＦ信号の周波数帯域の中心周波数は５７ＭＨｚとなる。
【０００６】
次に、復調部２について説明する。選局部１から出力される信号にはＩＦ信号のほかにバンドパスフィルタ４および６で選別しきれなかった隣接チャンネルの搬送波に起因する隣接信号が含まれている。この隣接信号を除去するためにバンドパスフィルタ１２が設けられている。ＩＦ信号の周波数特性は常に一定であるため、その周波数特性に応じてバンドパスフィルタ１２を設計することによって選択度特性のよい復調部を形成することが可能となる。すなわち、バンドパスフィルタ１２の特性は固定されている。
【０００７】
バンドパスフィルタ１２によってＩＦ信号のみが選択された後、復調回路１３により復調され、ＶＩＤＥＯ信号が端子１４に、ＡＵＤＩＯ信号が端子１５に、ＤＡＴＡ信号が端子１６にそれぞれ出力される。
【０００８】
チャンネル周波数帯域が同一の放送による信号だけを受信する場合は、図２に示した受信装置の構成によって選択度特性が良好な復調部を形成することができた。しかし、チャンネル周波数帯域が異なる二種類以上の放送による信号を受信する場合には隣接信号の周波数が異なってしまうので、図２に示した受信装置の構成では選択度特性が良好な復調部を形成することができなかった。
【０００９】
チャンネル周波数帯域が異なる二種類以上の放送としては、例えば、欧州で普及しているＴＶ放送方式であるシステムＢおよびシステムＧがある。システムＢはチャンネル周波数帯域が７ＭＨｚであり、システムＧはチャンネル周波数帯域が８ＭＨｚである。欧州では、同一地域においてＶＨＦ帯域に対してシステムＢが、ＵＨＦ帯域に対してシステムＧが用いられることが多く、システムＢおよびシステムＧのいずれの放送による信号も受信できる受信装置が必要とされている。
【００１０】
システムＢおよびシステムＧに係る信号を受信したときのＩＦ信号および隣接信号について図４を参照して説明する。図４（ａ）はチャンネル周波数帯域が８ＭＨｚであるシステムＧの放送による信号を受信した場合のＩＦ信号および隣接信号の概略を、図４（ｂ）はチャンネル周波数帯域が７ＭＨｚであるシステムＢの放送による信号を受信した場合のＩＦ信号および隣接信号の概略をそれぞれ示している。尚、横軸は周波数である。
【００１１】
システムＧではチャンネル周波数帯域が８ＭＨｚであるので、ＩＦ信号の周波数帯域ＢＡＮＤ１も８ＭＨｚとなる。尚、ＩＦ信号の周波数帯域ＢＡＮＤ１には音声搬送波の中間周波数ｆＡ１および映像搬送波の中間周波数ｆＶ１が含まれている。一方、システムＢではチャンネル周波数帯域が７ＭＨｚであるので、ＩＦ信号の周波数帯域ＢＡＮＤ２も７ＭＨｚとなる。尚、ＩＦ信号の周波数帯域ＢＡＮＤ２には音声搬送波の中間周波数ｆＡ２および映像搬送波の中間周波数ｆＶ２が含まれている。また、システムＧでのＩＦ信号の周波数帯域ＢＡＮＤ１の中心周波数ｆＣ１と、システムＢでのＩＦ信号の周波数帯域ＢＡＮＤ２の中心周波数ｆＣ２とは同一となっている。
【００１２】
システムＧでは、高域側に下側隣接チャンネルの搬送波に起因する下側隣接音声信号ＡＡ１と下側隣接映像信号ＡＶ１とが存在する。この下側隣接音声信号ＡＡ１と下側隣接映像信号ＡＶ１とを除去するために、特性曲線Ｃ１の特性を有するバンドパスフィルタを復調部に設ける必要がある。一方、システムＢでは、高域側に下側隣接チャンネルの搬送波に起因する下側隣接音声信号ＡＡ２と下側隣接映像信号ＡＶ２とが存在する。この下側隣接音声信号ＡＡ２と下側隣接映像信号ＡＶ２とを除去するために、特性曲線Ｃ２の特性を有するバンドパスフィルタを復調部に設ける必要がある。図４から明らかなように、システムＧでの下側隣接音声信号ＡＡ１の周波数ｆＡ１’と下側隣接音声信号ＡＡ２の周波数ｆＡ２’とがΔｆだけずれているため、特性曲線Ｃ１と特性曲線Ｃ２とは異なった周波数特性となっている。したがって、システムＢおよびＧの両方の放送による信号を受信する場合には、図２に示すように復調部に特性の固定されたバンドパスフィルタを一つ設けただけでは十分な選択性能が得られなかった。
【００１３】
【発明が解決しようとする課題】
このため、従来は図３に示すように、復調部にバンドパスフィルタを二つ並列に設けていた。なお、図３において図２と同一の部分には同一の符号を付し説明を省略する。バンドパスフィルタ１２’は図４（ａ）に示した特性曲線Ｃ１の特性を有するバンドパスフィルタで、バンドパスフィルタ１２’’は図４（ｂ）に示した特性曲線Ｃ２の特性を有するバンドフィルタである。
【００１４】
同調部１から出力される信号はスイッチ１１によりバンドパスフィルタ１２’および１２’’のいずれかに入力されＩＦ信号のみが選別されたのち、その選別されたＩＦ信号が復調回路１３に入力される。尚、制御回路１０は受信希望チャンネル情報に応じてスイッチ１１の切替制御も行っている。すなわち、制御回路１０は、受信希望チャンネル情報の受信希望チャンネルがシステムＧの放送に属している場合はバンドパスフィルタ１２’側に接続するようにスイッチ１１を制御し、受信希望チャンネル情報の受信希望チャンネルがシステムＢの放送に属している場合はバンドパスフィルタ１２’’側に接続するようにスイッチ１１を制御する。
【００１５】
このような構成ではスイッチやバンドパスフィルタを新たに付加することになるので、受信装置のコストアップにつながっていた。
【００１６】
本発明は、上記の問題点に鑑み、チャンネル周波数帯域が異なる二種類以上の放送による信号が受信でき、かつ、部品点数を増加させることなく選択度特性が良好である受信装置を提供することを目的とする。
【００１７】
【課題を解決するための手段】
上記目的を達成するために、本発明に係る受信装置においては、局部発振信号を出力する局部発振器と、前記局部発振信号および受信希望信号を混合してＩＦ信号を作成するミキサと、を備えるとともに、チャンネル周波数帯域が異なる二種類以上の放送による信号を受信するにあたり、前記二種類以上の放送のうち所定の放送以外の放送による信号を受信希望信号とするときは、前記ミキサの出力信号に含まれる所定の隣接信号の周波数が、前記所定の放送による信号を受信希望信号とした場合に前記ミキサの出力信号に含まれる所定の隣接信号の周波数に近づくように、前記ＩＦ信号の中心周波数が可変し、前記ミキサの出力信号を入力するバンドパスフィルタを備え、前記バンドパスフィルタの特性が固定されており、前記バンドパスフィルタが減衰させる信号の周波数が、前記所定の放送による信号を受信希望信号とした場合に前記ミキサの出力信号に含まれる所定の隣接信号の周波数と同一であり、受信希望チャンネル情報を入力して該受信希望チャンネル情報に応じた制御信号を作成する制御手段と、前記制御信号に応じた同調電圧を発生させる電圧発生手段と、を備えるとともに、前記局部発振器が前記同調電圧に応じて前記局部発振信号の周波数を可変する構成とする。
【００１９】
また、前記二種類以上の放送のうち所定の放送以外の放送による信号を受信希望信号とするときは、前記ミキサの出力信号に含まれる所定の隣接信号の周波数が、前記所定の放送による信号を受信希望信号とした場合に前記ミキサの出力信号に含まれる所定の隣接信号の周波数と一致するようにように、前記ＩＦ信号の中心周波数が可変することがより望ましい。
【００２０】
また、前記二種類以上の放送の中でチャンネル周波数帯域が最も大きい放送を前記所定の放送とすることが望ましい。
【００２２】
また、ＴＶ放送による信号を受信する場合は、前記所定の隣接信号を下側隣接音声信号にするとよい。
【００２４】
【発明の実施の形態】
本発明に係る受信装置の一実施形態について図面を参照して説明する。本実施形態に係る受信装置の構成は図２に示した従来の受信装置の構成と同一であるが、制御回路１０が同調電圧発生回路９に出力する制御信号の内容が異なる。尚、本実施形態に係る受信装置は、チャンネル周波数帯域の異なる二種類のＴＶ放送（システムＢおよびシステムＧ）による信号を受信する受信装置とし、バンドパスフィルタ１２は図１に示す特性曲線Ｃ１の特性を有するバンドパスフィルタである。
【００２５】
従来の受信装置では、図４に示したようにチャンネル周波数帯域の異なる放送による信号を受信した場合でもＩＦ信号の中心周波数が同一になるように制御回路１０が同期電圧発生回路９を制御していた。本実施形態に係る受信装置では、ＩＦ信号の中心周波数を受信希望信号の属する放送のチャンネル周波数帯域に応じて適宜変化させるように制御回路１０が同期電圧発生回路９を制御する。
【００２６】
この制御について図１を参照して説明する。図１（ａ）はチャンネル周波数帯域が８ＭＨｚであるシステムＧの放送による信号を本実施形態に係る受信装置で受信した場合のＩＦ信号および隣接信号の概略を、図１（ｂ）はチャンネル周波数帯域が７ＭＨｚであるシステムＢの放送による信号を本実施形態に係る受信装置で受信した場合のＩＦ信号および隣接信号の概略をそれぞれ示している。尚、横軸は周波数である。
【００２７】
システムＢよりもチャンネル周波数帯域が大きいシステムＧの放送による信号を受信する場合、局部発振器７が出力する局部発振信号の周波数は従来の受信装置と同様の設定とする。したがって、システムＧの放送による信号を受信する場合、音声搬送波の中間周波数ｆＡ１、映像搬送波の中間周波数ｆＶ１、ＩＦ信号の周波数帯域ＢＡＮＤ１の中心周波数ｆＣ１、下側隣接音声信号ＡＡ１の周波数ｆＡ１’、および下側隣接映像信号ＡＶ１の周波数ｆＶ１’は従来の受信装置と同じ値となる。
【００２８】
一方、システムＧよりもチャンネル周波数の小さいシステムＢの放送による信号を受信する場合、局部発振器７が出力する局部発振信号の周波数は従来の受信装置に比べて５００ｋＨｚだけ大きく設定されている。したがって、システムＢの放送による信号を受信する場合、音声搬送波の中間周波数ｆＡ２、映像搬送波の中間周波数ｆＶ２、ＩＦ信号の周波数帯域ＢＡＮＤ２の中心周波数ｆＣ２、下側隣接音声信号ＡＡ２の周波数ｆＡ２’、および下側隣接映像信号ＡＶ２の周波数ｆＶ２’は従来の受信装置に比べてそれぞれ５００ｋＨｚだけ大きな値となる。
【００２９】
これにより、図１に示すように中心周波数ｆＣ２は中心周波数ｆＣ１に対して５００ｋＨｚずれることになるが、システムＧの放送による信号を受信する場合の下側隣接音声信号ＡＡ１’と、システムＢの放送による信号を受信する場合の下側隣接音声信号ＡＡ２’とは一致する。
【００３０】
したがって、システムＢの放送による信号を受信する場合の下側隣接音声信号ＡＡ２’は、システムＧの放送による信号を受信する場合の下側隣接音声信号ＡＡ１の除去に適する特性曲線Ｃ１の特性を有するバンドパスフィルタによって除去することができる。また、図１（ｂ）から明らかなように、システムＢの放送による信号を受信した場合のＩＦ信号の周波数帯域ＢＡＮＤ２は特性曲線Ｃ１の特性を有するバンドパスフィルタの周波数通過領域内におさまっている。したがって、システムＢの放送による信号を受信する場合でも、システムＧの放送による信号を受信するときに適する特性曲線Ｃ１の特性を有するバンドパスフィルタが適することになる。すなわち、図３に示した従来の受信装置のように、新たにスイッチおよびバンドパスフィルタを付加してバンドパスフィルタの特性を受信希望信号の属する放送のチャンネル周波数帯域毎に合わせ込まなくても、受信希望信号の属する放送のチャンネル周波数帯域に応じてＩＦ信号の中心周波数を可変することで受信装置の選択度特性を良好にすることができる。
【００３１】
尚、本実施形態とは逆に、チャンネル周波数帯域が大きいシステムＧの放送による信号を受信する場合はＩＦ信号の中心周波数を移行し、チャンネル周波数帯域が小さいシステムＢの放送による信号を受信する場合はＩＦ信号の中心周波数を固定し、復調部２に設けるバンドパスフィルタ１２の特性はチャンネル周波数帯域が小さいシステムＢの放送による信号を受信するときに適する特性曲線Ｃ２とすると、移行後のＩＦ信号の周波数帯域ＢＡＮＤ１の一部が特性曲線Ｃ２の周波数通過領域内におさまらないことになる。したがって、本実施形態のように、チャンネル周波数帯域が大きいシステムＧの放送による信号を受信する場合はＩＦ信号の中心周波数を固定し、チャンネル周波数帯域が小さいシステムＧの放送による信号を受信する場合はＩＦ信号の中心周波数を移行し、復調部２に設けるバンドパスフィルタ１２の特性はチャンネル周波数帯域が大きいシステムＧの放送による信号を受信するときに適する特性曲線Ｃ１とすることが望ましい。
【００３２】
上述したように、本発明に係る受信装置では制御回路の設定を変えることでＩＦ信号の中心周波数をずらすだけなので、新たにスイッチやバンドパスフィルタを設けずに簡易に受信装置の選択度特性を良好にすることができる。
【００３３】
尚、上記実施形態の場合はシステムＢとシステムＧとのチャンネル周波数帯域差が１ＭＨｚであったため、システムＢの放送による信号を受信する場合に局部発振信号の周波数を従来の設定と比べて５００ＭＨｚずらすことによってシステムＢとシステムＧの放送による信号を受信する場合において隣接信号の周波数を同一にすることができた。一般に２種類以上の異なったチャンネル周波数帯域の放送による信号を受信する場合は、それぞれのチャンネル周波数帯域差の略２分の１の周波数分だけＩＦ信号の中心周波数をずらすことによって、隣接信号の周波数を同一にすることができ、本実施形態と同様の効果を得ることができる。
【００３４】
また、ＩＦ信号の低域側に上側隣接音声信号や上側隣接映像信号が現れる場合があるが、下側隣接音声信号や下側隣接映像信号に比べて信号レベルが小さいので受信装置の選択度特性に影響を及ぼすことはない。
【００３５】
尚、図２に示した制御回路１０はマイクロコンピュータであり、受信希望チャンネル情報に対応する制御信号を予め記憶しているメモリ（図示せず）を備えている。これにより、受信希望チャンネル情報に対応する制御信号を外部メモリに記憶させる必要がなくなり、マイクロコンピュータだけで全てを制御することができるので、小型化や省エネルギー化を図ることができる。
【００３６】
また、図２に示した受信装置の選局部１、復調部２、および制御回路１０は通常それぞれ個別のＩＣにて回路構成される。このようにＩＣ化することによって、ＩＣ化しない場合に比べて低コスト化や小型化を図ることができる。本発明に係る受信装置も個別のＩＣにて回路構成されてもよく、また選局部１、復調部２、および制御回路１０のうちの一部もしくは全部を統合したＩＣとしてもよい。
【００３７】
尚、本実施形態ではＴＶ放送による信号の受信装置について説明したが、本発明に係る受信装置はこれに限定されることはない。ただし、上部隣接信号と下部隣接信号とのいずれか一方の信号レベルが小さいほど又は上部隣接信号と下部隣接信号とのいずれか一方がＩＦ信号の中心周波数に対して離れているほど本発明の効果を得ることができる。上部隣接信号と下部隣接信号もいずれもが存在する場合は、信号レベルが大きい方の隣接信号の周波数を一致させるようにするか、ＩＦ信号の中心周波数に対して近い方の隣接信号の周波数を一致させるようにするとよい。
【００３８】
本発明によると、チャンネル周波数帯域が異なる二種類以上の放送のうち所定の放送以外の放送による信号を受信希望信号とするときは、ミキサの出力信号に含まれる隣接信号の周波数が、所定の放送による信号を受信希望信号とした場合にミキサの出力信号に含まれる隣接信号の周波数に近づくように、ＩＦ信号の中心周波数が可変し、ミキサの出力信号を入力するバンドパスフィルタを備え、前記バンドパスフィルタの特性が固定されており、前記バンドパスフィルタが減衰させる信号の周波数が、所定の放送による信号を受信希望信号とした場合にミキサの出力信号に含まれる隣接信号の周波数と同一であり、受信希望チャンネル情報を入力してその受信希望チャンネル情報に応じた制御信号を作成する制御する制御手段と、制御手段が出力する制御信号に応じた同調電圧を発生させる電圧発生手段と、を備えるとともに、局部発振器が同調電圧に応じて局部発振信号の周波数を可変するので、異なるチャンネル周波数帯域の放送による信号を受信した場合でも隣接信号によって生じる隣接妨害をなくすことができるとともに、受信希望チャンネルの放送の種類に応じた周波数の局部発信信号が作成される。これにより、受信希望信号の属する放送のチャンネル周波数帯域毎に特性の異なるバンドパスフィルタを復調部に設ける必要がなくなり部品点数を増加させることなく、受信装置の選択度特性を良好にすることができるとともに、受信希望信号の属する放送のチャンネル周波数帯域毎にＩＦ信号の中心周波数を可変することができる。
【００４０】
また、本発明によると、チャンネル周波数帯域が異なる二種類以上の放送のうち所定の放送以外の放送による信号を受信希望信号とするときは、ミキサの出力信号に含まれる隣接信号の周波数が、所定の放送による信号を受信希望信号とした場合にミキサの出力信号に含まれる隣接信号の周波数に一致するように、ＩＦ信号の中心周波数が可変するので、所定の放送以外の放送による信号を受信希望信号とした場合の隣接信号によって生じる隣接妨害の特性を所定の放送による信号を受信希望信号とした場合の隣接信号によって生じる隣接妨害の特性を一致させることができる。これにより、受信装置の選択度特性がさらに良好となる。
【００４１】
また、本発明によると、チャンネル周波数帯域が異なる二種類以上の放送の中でチャンネル周波数帯域が最も大きい放送を所定の放送として選択するので、受信希望信号の属する放送の種類にかかわらずＩＦ信号の周波数領域が、チャンネル周波数帯域の最も大きい放送による信号を受信したときのＩＦ信号の周波数領域内にほぼおさまる。これにより、復調部に設けるバンドパスフィルタの設計が容易になる。
【００４３】
また、本発明によると、ＴＶ放送による信号を受信するとともに、前記所定の隣接信号が下側隣接音声信号であるので、ＴＶ放送による信号を受信する際に隣接妨害の特性に最も影響を与える下側隣接音声信号が受信希望信号の属する放送のチャンネル周波数帯域が異なっても近似する。これにより、部品点数を増加させることなく受信装置の選択性を良好にすることができる。
【図面の簡単な説明】
【図１】本発明に係る受信装置のＩＦ信号および隣接信号を示す図である。
【図２】従来および本発明の受信装置の構成を示す図である。
【図３】チャンネル周波数帯域が異なる二種類以上の放送を受信する従来の受信機の構成を示す図である。
【図４】従来の受信装置のＩＦ信号および隣接信号を示す図である。
【符号の説明】
１    選局部
２    復調部
３    入力端子
７    局部発振器
８    ミキサ
９    同調電圧発生回路
１０    制御回路
１２    バンドパスフィルタ
ＡＡ１、ＡＡ２    下側隣接音声信号
ＡＶ１、ＡＶ２    下側隣接映像信号
ＢＡＮＤ１、ＢＡＮＤ２    ＩＦ信号の周波数帯域
Ｃ１、Ｃ２    バンドパスフィルタの特性曲線
ｆＣ１、ｆＣ２    ＩＦ信号の中心周波数
【図１】
0003596760.tif 000002
【図２】
0003596760.tif 000003
【図３】
0003596760.tif 000004
【図４】
0003596760.tif 000005